(57)【要約】      （修正有）【課題】額縁筐体壁面の内部に沿って設けられた光源で筐体内背面もしくは近傍に配設された被照明体をそのままの状態で額縁前部に設けられるガラスやアクリルのような透明な反射板との相互作用で一体的に照明できる照明付き額縁を提供する。【解決手段】本照明付き額縁は主に額縁前部１と一体的に形成される箱形状筐体および該箱形状筐体の背面にこれと着脱可能な背面板３の二部分からなり、内蔵の光源７からの光は直接的に額縁筐体内部の被照明体１０を照射する構造を有し、額縁前部と背面板の間に挟まれるように格子状枠組８を設け両者を所定の間隔で仕切り固定し、かつ光源からの放射光を拡散、屈折もしくは透過し被照明体の照明に役立たせるよう少なくとも光源の前面の部分はアクリルやガラスよりなる透明もしくは半透明の板材で構成する。【選択図】図１
0003162020.tif 000002
【実用新案登録請求の範囲】
【請求項１】
額縁前部およびこれと一体的に成る箱形状筐体ならびに該箱形状筐体の背面にこれと着脱可能なように設けられる背面板を主な構成要素とし、該額縁前部の中央部天面にはガラスあるいはアクリルよりなる透明板が、該箱形状筐体の壁面内には光源がそれぞれ設けられ該背面板に近接して配設された図画や写真、文書あるいは工作物よりなる被照明体を照明する構造を有し、かつ該額縁前部の内面と背面板間に挟まれて両者の間隔を所定位置に保持し内部の仕切り壁として作用すると同時に筐体全体の強度の向上に資するとともに照明用光源の前面部は透明又は半透明なアクリルもしくはガラスの板とし光源からの放射光を拡散、屈折もしくは透過し被照明体の照明に供せられるように構成された格子状枠組を設けて成る照明付き額縁。
【請求項２】
請求項１に記載する照明付き額縁において内部に設けられる格子状枠組が、板に適宜切り込みを設けて組み合わせ井桁、もしくは該板を折り曲げてロの字の平面形状に形成されて成る照明付き額縁。
【考案の詳細な説明】
【技術分野】
【０００１】本考案は箱型形状の額縁の縁辺内部に照明装置を持ち、その底面に配設される図画、写真、文書あるいは工作物等被照明体（以下被照明体）を照明する額縁、写真立て、表示板等（以下額縁等）の装置および方式に関するものである。
【背景技術】
【０００２】近年いわゆる「デジタルフォトフレーム」としてデジタルカメラで得たデジタルの写真情報を液晶表示装置で多様に表示する専用機器が商品化され広まりつつある。また写真をフィルムや透明な樹脂板に特別の方法で半透明状態に印刷しその背面からいわゆるバックライト光源で照射する表示装置も普及しているが、下記文献のように図画や写真等の画面が印刷あるいは印画された紙や布等画材の現物をそのまま照明表示する額縁や写真立てのような装置は現時点で市場ではほとんどない。
【実用新案文献】
登録実用新案第３１５８０８８号
【考案の開示】
【０００３】本考案は、額縁筐体壁面の内部に沿って設けられた光源で筐体内背面もしくは近傍に配設された被照明体をそのままの状態で額縁前部に設けられるガラスやアクリルのような透明な反射板との相互作用で一体的に照明できる照明付き額縁の内部に、額縁前部の内面と額縁背面に設けられる着脱可能な背面板間で照明用光源の前面に透明又は半透明板よりなる枠組を設け、両者を所定の間隔で仕切り固定でき筐体全体の強度の向上に供するとともに、光源からの放射光を拡散、屈折もしくは透過し被照明体の照明に供せられるよう構成されてなる照明付き額縁を提供する。
【考案が解決しようとする課題】
【０００４】従来照明の無い額縁では通常筐体の奥行きは小さく内部に収納する図画、写真屋文書を額縁前部もしくはそれに密接する飾り縁と背面に着脱可能な背面板（裏蓋）の間に挟んで配設しているが、油絵、押し花、パッチワークあるいは紙クラフト、人形、模型やレリーフ等の立体性のある対象を内部に収納展示するための通称シャドーボックスと呼ばれる奥行きの必要な額縁においては額縁前部と背面板の間に格子状の枠組みを設け両者の間隔を適切に保持し、かつ筐体内面の体裁を整えることが多い。上述のようなさまざまな収納展示品を本考案のように内蔵の照明装置で照明する場合、前述のような奥行きのある額縁構造が必要となるが、照明用光源を額縁内壁面に密接すると通常木質系の材料より成る不透明な板格子状枠組がその前面に設けられて光の通過を妨げてしまい、これに対するために照明用光源を該格子状枠組の内面に配設すると展示空間に光源装置が露出して狭くなるだけでなく直接光や装置が視認者の視界に入る不都合が生じる。
【課題を解決するための手段】
【０００５】本考案の照明付き額縁は主に額縁前部と一体的に形成される箱形状筐体および該箱形状筐体の背面にこれと着脱可能な背面板の二部分からなり、両者は通常の使用時は互いに密着して一体であるが、被照明体を該筐体内に収納する際両者は分離され背面板の除去された背面の空間から該被照明体を該箱形状筐体に配設出来、前述のような立体的な被照明体でも自在に展示配設が可能となる。該額縁前部の中央部天面にはガラスあるいはアクリルのような透明板が、該箱形状筐体の外周壁面内には光源がそれぞれ設けられ両者が一体となって被照明体を照明する。光源からの光は直接的に被照明体を照射するだけでなく透明板の反射によっても額面中央部までよく照射するようになるため比較的均等な照明効果が得やすい。ここに内部には格子状枠組を既述のように額縁前部と背面板の間に挟まれるように設け両者を所定の間隔で仕切り固定し筐体全体の強度の向上を図るが、光源からの放射光を拡散、屈折もしくは透過し被照明体の照明に役立たせるため少なくとも光源の前面の格子状枠組の部分はアクリルやガラスよりなる透明もしくは半透明の板材で構成する。
【考案の効果】
【０００６】本考案による額縁は簡略な枠組構造を内蔵することにより奥行きを適宜寸法で十分な強度を確保できる構造となりかつ最適な照明効果を得られるため、通常の平面的な図画、写真や文書等だけでなく油絵、押し花、パッチワークあるいは紙クラフトのような立体性のある対象を被照明体として特に加工を加えなく通常状態のままでほぼ均等な明るさで照明できるほか同様の用途として写真立てやシャドーボックスあるいは業務用の照明付き広告板、展示装置、表示板等にも活用できる。本考案により、飾りたいものや思い出の品を明るく照らしてより美しく演出し見る人に安らぎを与え、また人目をひきたい事物を鮮明に強く訴求でき併せて夜間照明にも利用できる新商品分野の開拓が期待できる。
【実施例】
【０００７】以下、本考案を図１の応用実施例について説明する。図１の左側のＸ−Ｘ線より上半分は本考案による装置の代表例としての照明付き額縁の概略平面図であり、同下半分はＹ−Ｙ側断面図として右側に示される図中のＺ−Ｚ面断面図である。本装置の構造は主に該照明付き額縁の額縁前部（１）、筐体（２）、背面板（３）、該背面板（３）を該筐体（２）に着脱するための留め具（４）、該額縁前面（１）に取り付けられる透明板（５）、同飾り縁（６）、該筐体の内部壁面に取り付けられる光源（７）、格子状の枠組（８）、押え板（９）および被照明体（１０）で構成される。【０００８】該背面板（３）は同図のように該筐体（２）に留め具（４）で着脱でき、通常は該筐体（２）の壁面の背部端面に回転中心を持つヒンジで該筐体（２）の壁面内部に嵌まる外形の該背面板（３）を留めたり外したりして行う。ここに該背面板（３）はその固定位置を該筐体（２）内部の主に格子状枠組（８）と該透明板（５）、該飾り縁（６）、該押え板（９）および該被照明体（１０）などで構成される奥行き方向の厚み寸法と該筐体（２）内部の収納部寸法（内部壁面の高さ）との差で決まる厚みや形状になされ各構成部品が互いに密接し十分な強度が得られるように設定される。なお、該被照明体（１０）がこの例のように該押え板（９）と該背面板（３）の間に挟まれる図画や文書様の物ではなく立体的な工作物のような物で直接外筐体（２）内部や該背面板（３）に配設される場合はこの厚みには関与しない。該枠組（８）は該光源（７）より内側に同平面図のようにロの字形状や井桁形状（図示せず）の格子構造で形成され、既述のように該光源（７）に面する前面の板は光が通過できるアクリルやガラスなどの透明もしくは半透明の板材で構成される。この形状にすることにより簡略な形状でありながら該筐体（２）の軸方向のスペーサとして働きながら圧縮強度が十分得られ易くかつ額縁内観がきれいにまとまる。なお、該光源（７）は蛍光灯、ＣＣＦＬ（冷陰極管）のほか複数のＬＥＤ（発光ダイオード）などを用い該枠組（８）の光が透過する面は乳白色のアクリル半透明板や拡散用の粗面や凹凸面を持つガラス板で構成すると効果的な線状光源が得られる。また、光源に面しない枠組部分は被透明もしくは半透明な材料で構成しその背面には電源装置や配線その他の隠蔽したい部品を収納することも可能である。なお、該枠組（８）を井桁形状格子状に構成するには短冊形状の板に適宜板幅の半分ほど切り込みを設けて互いに嵌め合わせて組み合わせる従来から菓子折り箱などの仕切りに用いられる手法を援用すると便利である。
【図面の簡単な説明】
【０００９】
【図１】本考案に係る構造の概略平面図及び側断面図
【符号の説明】
【００１０】（１）額縁前部    （２）筐体    （３）背面板    （４）留め具
（５）透明板      （６）飾り縁  （７）光源      （８）枠組
（９）押え板      （１０）被照明体
【図１】
0003162020.tif 000003